(57)【要約】【課題】機能ユニットを容易に位置決めして着脱する。【解決手段】作業者は、定着ユニット５２の右側に位置するラッチ１０８の係合を解除し、定着ユニット５２の左側に位置する軸を回動軸として、定着ユニット側コネクタが枠体側コネクタから外れるまで定着ユニット５２を前側に回動させ、定着ユニット５２の左側に位置する軸を回動軸として、定着ユニット５２の右側下部が枠体よりも上方に位置するように定着ユニット５２を上側に回動させ、定着ユニット５２を右側上方に引き抜くことにより、定着ユニット５２を枠体から離脱する。【選択図】図１１
2008116711.tif 000002
【特許請求の範囲】
【請求項１】
被取付部を有する枠体に、筐体を有する機能ユニットを装着する方法であって、前記筐体に設けられた係合部を前記枠体の前記被取付部に設けられた被係合部に係合することにより、前記筐体を前記枠体に対して、前記係合部を中心とした回動は許容するが、前記被取付部に対する平行移動を規制し、前記係合部を中心として前記筐体を回動させて、前記筐体に設けられた被移動規制部を前記枠体に設けられた移動規制部に係合させることにより、前記筐体の前記枠体に対する回動を規制する機能ユニットの装着方法。
【請求項２】
被取付部を有する枠体から、筐体を有する機能ユニットを離脱する方法であって、前記筐体に設けられ、前記枠体に設けられた被係合部に係合することにより、前記筐体が前記枠体の前記被取付部に対して平行移動することを規制する係合部を中心として、前記筐体を前記枠体に対して回動させることにより、前記枠体に設けられた移動規制部に係合することによって移動を規制される前記筐体に設けられた被移動規制部と、前記移動規制部との係合を解除し、前記係合部と前記被係合部との係合を解除する機能ユニットの離脱方法。
【請求項３】
被取付部を有する画像形成装置本体に、筐体を有して現像剤像を記録媒体に定着させる定着ユニットを装着する方法であって、前記筐体に設けられた係合部を前記画像形成装置本体の前記被取付部に設けられた被係合部に係合することにより、前記筐体を前記画像形成装置本体に対して、前記係合部を中心とした回動は許容するが、前記被取付部に対する平行移動を規制し、前記係合部を中心として前記筐体を回動させて、前記筐体に設けられた被移動規制部を前記画像形成装置本体に設けられた移動規制部に係合させることにより、前記筐体の前記画像形成装置本体に対する回動を規制する定着ユニットの装着方法。
【請求項４】
被取付部を有する画像形成装置本体から、筐体を有して現像剤像を記録媒体に定着させる定着ユニットを離脱する方法であって、前記筐体に設けられ、前記画像形成装置本体に設けられた被係合部に係合することにより、前記筐体が前記画像形成装置本体の前記被取付部に対して平行移動することを規制する係合部を中心として、前記筐体を前記画像形成装置本体に対して回動させることにより、前記画像形成装置本体に設けられた移動規制部に係合することによって移動を規制される前記筐体に設けられた被移動規制部と、前記移動規制部との係合を解除し、前記係合部と前記被係合部との係合を解除する定着ユニットの離脱方法。
【請求項５】
筐体を有する機能ユニットと、前記筐体を取り付けられる被取付部を有する枠体とを具備し、前記筐体は、前記枠体に設けられた被係合部に係合することにより、該筐体の前記枠体に対する回動を回動中心として許容しつつ、該筐体の前記被取付部に対する平行移動を規制する係合部と、前記枠体に設けられた移動規制部に係合することにより、前記係合部を回動中心とする前記筐体の前記枠体に対する回動を規制する被移動規制部とを有する機器装置。
【請求項６】
前記機能ユニットは、前記枠体側に設けられた駆動源から駆動力を受け入れる駆動力受入手段が前記筐体の前記係合部近傍に設けられている請求項５記載の機器装置。
【請求項７】
前記被移動規制部は、前記移動規制部に対して係合すること、及び前記移動規制部に対する係合を解除することが可能なラッチを有する請求項５又は６記載の機器装置。
【請求項８】
前記機能ユニットは、前記枠体に設けられた電気信号を入出力するための枠体側コネクタに接続される機能ユニット側コネクタが前記筐体の前記被移動規制部近傍に設けられている請求項５乃至７いずれか記載の機器装置。
【請求項９】
筐体を有して現像剤像を記録媒体に定着させる定着ユニットと、前記筐体を取り付けられる被取付部を有する画像形成装置本体とを具備し、前記筐体は、前記画像形成装置本体に設けられた被係合部に係合することにより、該筐体の前記画像形成装置本体に対する回動を回動中心として許容しつつ、該筐体の前記被取付部に対する平行移動を規制する係合部と、前記画像形成装置本体に設けられた移動規制部に係合することにより、前記係合部を回動中心とする前記筐体の前記画像形成装置本体に対する回動を規制する被移動規制部とを有する画像形成装置。
【発明の詳細な説明】
【技術分野】
【０００１】
本発明は、機能ユニットを着脱される機器装置、及び定着ユニットを着脱される画像形成装置に関するものである。
【背景技術】
【０００２】
画像形成装置などの機器装置においては、所定の機能を有する機能ユニットを装着されることによって構成されるものが知られている。この種の機器装置として、特許文献１は、画像形成装置の装填部に設けられて回動するレバーによって、装填部に装填した定着装置に設けられた第１コネクタの固定部を上方から保持することにより、定着装置を固定する画像形成装置を開示する。また、特許文献２は、画像形成装置本体に設けられた位置決めピンに係合する第１の係合部と、位置決めピンに対して揺動する揺動部材が係合する第２の係合部と、画像形成装置本体のガイド部に支持される溝部とを定着ユニットに設けることにより、定着ユニットを脱着可能とした画像形成装置を開示する。
【０００３】
【特許文献１】特開２０００−３５６９３８号公報
【特許文献２】特開２００４−３４０９９７号公報
【発明の開示】
【発明が解決しようとする課題】
【０００４】
本発明は、定着ユニットなどの機能ユニットを容易に位置決めして着脱することができる画像形成装置などの機器装置を提供することを目的とする。
【課題を解決するための手段】
【０００５】
上記目的を達成するため、本発明の第１の特徴とするところは、被取付部を有する枠体に、筐体を有する機能ユニットを装着する方法であって、前記筐体に設けられた係合部を前記枠体の前記被取付部に設けられた被係合部に係合することにより、前記筐体を前記枠体に対して、前記係合部を中心とした回動は許容するが、前記被取付部に対する平行移動を規制し、前記係合部を中心として前記筐体を回動させて、前記筐体に設けられた被移動規制部を前記枠体に設けられた移動規制部に係合させることにより、前記筐体の前記枠体に対する回動を規制する機能ユニットの装着方法にある。
【０００６】
また、本発明の第２の特徴とするところは、被取付部を有する枠体から、筐体を有する機能ユニットを離脱する方法であって、前記筐体に設けられ、前記枠体に設けられた被係合部に係合することにより、前記筐体が前記枠体の前記被取付部に対して平行移動することを規制する係合部を中心として、前記筐体を前記枠体に対して回動させることにより、前記枠体に設けられた移動規制部に係合することによって移動を規制される前記筐体に設けられた被移動規制部と、前記移動規制部との係合を解除し、前記係合部と前記被係合部との係合を解除する機能ユニットの離脱方法にある。
【０００７】
また、本発明の第３の特徴とするところは、被取付部を有する画像形成装置本体に、筐体を有して現像剤像を記録媒体に定着させる定着ユニットを装着する方法であって、前記筐体に設けられた係合部を前記画像形成装置本体の前記被取付部に設けられた被係合部に係合することにより、前記筐体を前記画像形成装置本体に対して、前記係合部を中心とした回動は許容するが、前記被取付部に対する平行移動を規制し、前記係合部を中心として前記筐体を回動させて、前記筐体に設けられた被移動規制部を前記画像形成装置本体に設けられた移動規制部に係合させることにより、前記筐体の前記画像形成装置本体に対する回動を規制する定着ユニットの装着方法にある。
【０００８】
また、本発明の第４の特徴とするところは、被取付部を有する画像形成装置本体から、筐体を有して現像剤像を記録媒体に定着させる定着ユニットを離脱する方法であって、前記筐体に設けられ、前記画像形成装置本体に設けられた被係合部に係合することにより、前記筐体が前記画像形成装置本体の前記被取付部に対して平行移動することを規制する係合部を中心として、前記筐体を前記画像形成装置本体に対して回動させることにより、前記画像形成装置本体に設けられた移動規制部に係合することによって移動を規制される前記筐体に設けられた被移動規制部と、前記移動規制部との係合を解除し、前記係合部と前記被係合部との係合を解除する定着ユニットの離脱方法にある。
【０００９】
また、本発明の第５の特徴とするところは、筐体を有する機能ユニットと、前記筐体を取り付けられる被取付部を有する枠体とを具備し、前記筐体は、前記枠体に設けられた被係合部に係合することにより、該筐体の前記枠体に対する回動を回動中心として許容しつつ、該筐体の前記被取付部に対する平行移動を規制する係合部と、前記枠体に設けられた移動規制部に係合することにより、前記係合部を回動中心とする前記筐体の前記枠体に対する回動を規制する被移動規制部とを有する機器装置にある。
【００１０】
好適には、前記機能ユニットは、前記枠体側に設けられた駆動源から駆動力を受け入れる駆動力受入手段が前記筐体の前記係合部近傍に設けられている。
【００１１】
また、好適には、前記被移動規制部は、前記移動規制部に対して係合すること、及び前記移動規制部に対する係合を解除することが可能なラッチを有する。
【００１２】
また、好適には、前記機能ユニットは、前記枠体に設けられた電気信号を入出力するための枠体側コネクタに接続される機能ユニット側コネクタが前記筐体の前記被移動規制部近傍に設けられている。
【００１３】
また、本発明の第６の特徴とするところは、筐体を有して現像剤像を記録媒体に定着させる定着ユニットと、前記筐体を取り付けられる被取付部を有する画像形成装置本体とを具備し、前記筐体は、前記画像形成装置本体に設けられた被係合部に係合することにより、該筐体の前記画像形成装置本体に対する回動を回動中心として許容しつつ、該筐体の前記被取付部に対する平行移動を規制する係合部と、前記画像形成装置本体に設けられた移動規制部に係合することにより、前記係合部を回動中心とする前記筐体の前記画像形成装置本体に対する回動を規制する被移動規制部とを有する画像形成装置にある。
【発明の効果】
【００１４】
本発明によれば、定着ユニットなどの機能ユニットを容易に位置決めして着脱することができる。
【発明を実施するための最良の形態】
【００１５】
次に本発明の実施形態を図面に基づいて説明する。
図１は、本発明の実施形態に係る機器装置である画像形成装置１０の概要を示す断面図である。この画像形成装置１０は、画像形成装置本体１２を有する。画像形成装置本体１２は、内部に枠体（シャーシ）１３を有し、この枠体１３などによって画像形成部１４及び後述する定着ユニット５２などを支持する。また、画像形成装置本体１２には、画像形成部１４に用紙などのシートを供給するシート供給装置５４と、電源ユニット１６と、画像形成装置１０を構成する各部を制御する制御手段として用いられる制御部６６とが配設されている。また、画像形成装置本体１２の上部に画像形成がなされたシートが排出されるシート排出部１５が設けられている。
【００１６】
画像形成部１４は、カラー画像を形成する電子写真方式のもので、現像剤像を担持する像担持体としてのドラム形状の感光体２２Ｙ、２２Ｍ、２２Ｃ、２２Ｂと、この各感光体２２Ｙ、２２Ｍ、２２Ｃ、２２Ｂを一様に帯電する帯電ロールを備えた帯電手段としての帯電装置２４Ｙ、２４Ｍ、２４Ｃ、２４Ｂと、各感光体２２Ｙ、２２Ｍ、２２Ｃ、２２Ｂに光により静電潜像を書き込む潜像形成手段としての光書き込み装置２６Ｙ、２６Ｍ、２６Ｃ、２６Ｂと、各感光体２２Ｙ、２２Ｍ、２２Ｃ、２２Ｂに書き込まれた潜像を現像剤（トナー）で現像する現像ロール２８Ｙ、２８Ｍ、２８Ｃ、２８Ｂと、各感光体２２Ｙ、２２Ｍ、２２Ｃ、２２Ｂに形成された現像剤像をシートに転写する転写手段として用いられる転写ユニット４２と、転写ユニット４２による現像剤像の転写がなされた後に感光体２２Ｙ、２２Ｍ、２２Ｃ、２２Ｂに残留する廃現像剤を例えば掻き取ってクリーニングするクリーニング装置３０Ｙ、３０Ｍ、３０Ｃ、３０Ｂとを有する。
【００１７】
光書き込み装置２６Ｙ、２６Ｍ、２６Ｃ、２６Ｂは、それぞれレーザー露光装置からなり、光書き込み装置２６Ｙは感光体２２Ｙにイエロー画像に対応するレーザー光を、光書き込み装置２６Ｍは感光体２２Ｍにマゼンダ画像に対応するレーザー光を、光書き込み装置２６Ｃは感光体２２Ｃにシアン画像に対応するレーザー光を、光書き込み装置２６Ｂは感光体２２Ｂにブラック画像に対応するレーザー光をそれぞれ発し、感光体２２Ｙ、２２Ｍ、２２Ｃ、２２Ｂに、それぞれ静電潜像を書き込むようになっている。
【００１８】
画像形成部１４が有する部材のうち感光体２２Ｙ、２２Ｍ、２２Ｃ、２２Ｂ、帯電装置２４Ｙ、２４Ｍ、２４Ｃ、２４Ｂ、現像ロール２８Ｙ、２８Ｍ、２８Ｃ、２８Ｂ及びクリーニング装置３０Ｙ、３０Ｍ、３０Ｃ、３０Ｂは、交換ユニットとして用いられるプロセスカートリッジ３２として一体型され、画像形成装置本体１２に対して正面側（図１において左側）から着脱自在に装着される。
【００１９】
また、このプロセスカートリッジ３２には、現像ロール２８Ｙ、２８Ｍ、２８Ｃ、２８Ｂに供給される現像剤をそれぞれ収容する交換ユニットとしての現像剤カートリッジ３４Ｙ、３４Ｍ、３４Ｃ、３４Ｂが画像形成装置本体１２に対して側面側から着脱自在に装着されている。
現像剤カートリッジ３４Ｙ、３４Ｍ、３４Ｃ、３４Ｂには、トナーなどの現像剤を収容する現像剤収容室３６Ｙ、３６Ｍ、３６Ｃ、３６Ｂ及び廃現像剤収容室３８Ｙ、３８Ｍ、３８Ｃ、３８Ｂがそれぞれ内部に形成されている。
【００２０】
例えば、現像剤カートリッジ３４Ｙにはイエロートナーが、現像剤カートリッジ３４Ｍにはマゼンダトナーが、現像剤カートリッジ３４Ｃにはシアントナーが、トナーカートリッジ３４Ｂにはブラックトナーが充填（収容）されている。
【００２１】
転写ユニット４２は、プロセスカートリッジ３２の感光体２２Ｙ、２２Ｍ、２２Ｃ、２２Ｂと当接するように配置されている。この転写ユニット４２は、ユニットとして一体化されていて二つの支持ロール４４ａ、４４ｂと、シート又は像を搬送する搬送手段としての搬送ベルト４６と、この搬送ベルト４６にシートを吸着させる吸着手段としての吸着ロール４８と、搬送ベルト４６により搬送中のシートに、各感光体２２Ｙ、２２Ｍ、２２Ｃ、２２Ｂに形成された現像剤像をそれぞれ転写する転写ロール５０Ｙ、５０Ｍ、５０Ｃ、５０Ｂとが装着されてなる。
【００２２】
吸着ロール４８は、搬送ベルト４６を介して支持ロール４４ａに圧接する状態で設けられ、電源ユニット１６から電圧が印加されて搬送ベルト４６に静電的にシートを吸着させるようになっている。
【００２３】
転写ロール５０Ｙ、５０Ｍ、５０Ｃ、５０Ｂは、それぞれ転写バイアスが印加されており、感光体２２Ｙ、２２Ｍ、２２Ｃ、２２Ｂに形成された現像剤像を、搬送ベルト４６によって搬送中のシートへ順に転写し、シートにイエロー、マゼンダ、シアン、ブラックの４色の現像剤像が重ねられたカラー現像剤像を形成するようになっている。
【００２４】
また、画像形成装置本体１２内の上部には、転写ユニット４２によりシートに転写された現像剤像をシートへと定着する定着ユニット５２が設けられている。定着ユニット５２は、加熱ロール５３ａ及び加圧ロール５３ｂを有し、加熱ロール５３ａと加圧ロール５３ｂとの間を通過するシートを加熱し加圧することで、シートに現像剤像を定着するようになっている。
【００２５】
また、画像形成装置本体１２内には、シート供給装置５４から供給されたシートをシート排出部１５まで搬送する搬送路６０が設けられていて、この搬送路６０に沿って、シート搬送方向上流側から順に、レジストロール６２、転写ユニット４２、定着ユニット５２及び排出ロール６４が配置されている。排出ロール６４は、定着ユニット５２から搬送されたシートをシート排出部１５へと排出する。
【００２６】
図２乃至図４において、枠体１３の詳細が示されている。
以下、画像形成装置１０を構成する各部の位置（位置関係）を、作業者が画像形成装置１０を正面側から見た場合に、画像形成装置１０の前側、後側、左側、右側、上側又は下側のいずれ側に位置するかによって示すものとする。また、作業者が画像形成装置１０を正面側から見た場合の前後方向をＸ方向、上下（略鉛直）方向をＹ方向、左右方向をＺ方向とし、互いに直交するＸＹＺの方向を示すことにより、画像形成装置１０を構成する各部の形状又は移動方向などを示すことがある。
【００２７】
枠体１３は、第１の側部６８、第２の側部７０及び上板部７２を有し、上部に形成される被取付部７３に取り付けられる定着ユニット５２などを支持する。
第１の側部６８は、作業者が画像形成装置１０を正面側から見た場合、画像形成装置本体１２の左側に位置し、上部にギア用穴部７４及び被係合部７６が設けられている。ギア用穴部７４は、第１の側部６８内に配置された駆動ギア（駆動源：図示せず）に定着ユニット５２の後述するギア９５が係合するように設けられている。
【００２８】
被係合部７６は、第１のボス受け７８及び第２のボス受け８０から構成される。第１のボス受け７８は、定着ユニット５２の後述する第１のボス９８が貫通して係合する穴部であり、この穴部の内面下部が枠体１３の内側に位置し、内面上部が枠体１３の外側に位置し、穴部の内面下部と内面上部とが対向しないようにされている。また、第１のボス受け７８は、Ｘ方向及びＹ方向それぞれの大きさが第１のボス９８の大きさと略同じにされている。
【００２９】
第２のボス受け８０は、第１のボス受け７８の後側上方に配置され、定着ユニット５２の後述する第２のボス１００が貫通して係合する穴部であり、この穴部の内面下部が枠体１３の内側に位置し、内面上部が枠体１３の外側に位置し、穴部の内面下部と内面上部とが対向しないようにされている。また、第２のボス受け８０は、Ｙ方向の大きさが第２のボス１００の大きさと略同じにされており、Ｘ方向の大きさが第２のボス１００の大きさよりも大きくされている。
【００３０】
第２の側部７０は、作業者が画像形成装置１０を正面側から見た場合、画像形成装置本体１２の右側に位置し、上部に移動規制部８２及びねじ穴９０ａ，９０ｂが設けられている。
移動規制部８２は、第３のボス受け８４、第４のボス受け８６及びラッチ受け穴８８から構成される。第３のボス受け８４は、定着ユニット５２の後述する第３のボス１０４が略Ｘ方向に貫通して係合する穴部であり、Ｙ方向の大きさが第３のボス１０４の大きさと略同じにされており、Ｚ方向の大きさが第３のボス１０４の大きさよりも大きくされている。
【００３１】
第４のボス受け８６は、被係合部７６に略対向する位置に配置され、定着ユニット５２の後述する第４のボス１０６が摺動して係合する溝穴部であり、この溝穴部内側のＹ方向の大きさが第４のボス１０６の大きさと略同じにされており、前側及び左側（内側）が開放されて後側が閉じられている。ラッチ受け穴８８は、定着ユニット５２の後述するラッチ１０８が略Ｘ方向に貫通して係合する穴部である。
【００３２】
ねじ穴９０ａ，９０ｂは、枠体１３側と定着ユニット５２側とを電気的に接続するための枠体側コネクタ１２０（図１２等参照）を取り付けるための穴部であり、例えば第３のボス受け８４とラッチ受け穴８８との間に枠体側コネクタ１２０が取り付けられるように設けられている。
【００３３】
上板部７２は、第１の側部６８と第２の側部７０との間に略水平に設けられた板状部分であり、第５のボス受け９２を有する。第５のボス受け９２は、定着ユニット５２の後述する第５のボス１１８が摺動して係合する溝穴部であり、この溝穴部内側のＺ方向の大きさが第５のボス１１８の大きさと略同じにされており、前側及び上側が開放されて後側が閉じられている。
【００３４】
図５及び図６において、定着ユニット５２の外観が示されている。
定着ユニット５２は、略箱状の筐体９４を有し、この筐体９４内に上述した加熱ロール５３ａ及び加圧ロール５３ｂと、第１の側部６８内に配置された駆動ギア（図示せず）に係合して駆動力を受け入れ、加熱ロール５３ａ及び加圧ロール５３ｂなどに駆動力を伝達するギア９５などを収納している。ギア９５は、筐体９４の左側に配置されており、筐体９４の下側から一部が露出するようにされている。
【００３５】
筐体９４の左側には、枠体１３の被係合部７６に係合する係合部９６が設けられている。つまり、係合部９６は、ギア９５の近傍に配置されている。
係合部９６は、第１のボス９８及び第２のボス１００から構成される。第１のボス９８は、円柱状の突起であり、筐体９４の左側面から略垂直に突出している。第２のボス１００は、第１のボス９８の後側上方に配置された円柱状の突起であり、筐体９４の左側面から略垂直に突出している。
【００３６】
筐体９４の右側には、枠体１３の移動規制部８２に係合する被移動規制部１０２が設けられている。被移動規制部１０２は、第３のボス１０４、第４のボス１０６及びラッチ１０８から構成される。第３のボス１０４は、円柱状の突起であり、筐体９４の右側の背面（後側面）から略垂直に突出している。第４のボス１０６は、円柱状の突起であり、筐体９４の右側面から略垂直に突出している。ラッチ１０８は、筐体９４の右側面に設けられた軸部１１０を軸として揺動する部材であり、掛部１１２と把持部１１４とを有する。掛部１１２は、枠体１３のラッチ受け穴８８に対して係合可能なように後側に向けられており、図示しないバネなどの弾性部材によって上側に向けて付勢されている。ただし、ラッチ１０８は、作業者が把持部１１４を把持して上方に移動させることにより、掛部１１２に対する付勢を解除する（掛部１１２を下側に移動させてラッチ受け穴８８に対する係合を解除する）ことができるようにされている。また、ラッチ１０８及びラッチ受け穴８８は、例えばスナップフィットなどのように、所定の大きさ以上の力が所定の方向に加えられることにより、把持部１１４の移動などを伴うことなく、係合及び係合の解除（着脱）が行われるものであってもよい。
【００３７】
また、筐体９４の右側の背面（後側面）には、枠体１３に取り付けられた枠体側コネクタ１２０（図１２等参照）に接続される定着ユニット側コネクタ１１６が後側に向けて第３のボス１０４とラッチ１０８との間に設けられている。
【００３８】
筐体９４の下側面には、枠体１３の第５のボス受け９２に係合する第５のボス１１８が設けられている。第５のボス１１８は、円柱状の突起であり、筐体９４の下側面から略垂直に突出している。
【００３９】
図７乃至図１０において、枠体１３に定着ユニット５２が装着された状態が示されている。
枠体１３の第１のボス受け７８は、定着ユニット５２の第１のボス９８に対してＸ方向及びＹ方向に遊びがなく、第１のボス９８がＸ方向及びＹ方向に平行移動することを規制している。また、枠体１３の第２のボス受け８０は、定着ユニット５２の第２のボス１００に対してＹ方向に遊びがなく、Ｘ方向に遊びがあり、第２のボス１００がＹ方向に平行移動すること、及び第２のボス１００が第１のボス９８を軸として回動することを規制している。
【００４０】
枠体１３の第５のボス受け９２は、定着ユニット５２の第５のボス１１８に対してＺ方向に遊びがなく、第５のボス１１８がＺ方向に移動することを規制している。
枠体１３の第３のボス受け８４は、定着ユニット５２の第３のボス１０４に対してＹ方向に遊びがなく、第３のボス１０４がＹ方向に移動することを規制するとともに、定着ユニット５２が第１のボス９８を軸として回転することを規制している。
【００４１】
枠体１３のラッチ受け穴８８を略Ｘ方向（前側から後側）に貫通したラッチ１０８は、掛部１１２が上方に向けて付勢されているので、ラッチ受け穴８８によって移動を規制されている。
枠体１３の第４のボス受け８６は、定着ユニット５２の第４のボス１０６に対してＹ方向に遊びがなく、Ｘ方向（前側）に遊びがあり、第４のボス１０６がＹ方向に平行移動すること、及びラッチ受け穴８８と掛部１１２との結合部を軸として第４のボス１０６が回動することを規制する。
【００４２】
なお、筐体９４に設けられた定着ユニット側コネクタ１１６は、枠体１３に取り付けられた枠体側コネクタ１２０に接続されている。また、ギア９５は、第１の側部６８内に配置された駆動ギア１２２係合し、駆動力を加熱ロール５３ａ及び加圧ロール５３ｂなどに伝達可能にされている。
【００４３】
次に、枠体１３に対する定着ユニット５２の着脱について説明する。
図１１は、枠体１３から定着ユニット５２を離脱する方法（Ｓ１０）を示すフローチャートである。
図１１に示すように、ステップ１００（Ｓ１００）において、作業者は、把持部１１４を把持して上方に移動させることにより、右側に位置するラッチ１０８のラッチ受け穴８８に対する係合を解除する。
【００４４】
ステップ１０２（Ｓ１０２）において、作業者は、例えば第１のボス９８と第１のボス受け７８とが係合する部分の前側の内側端部（左側に位置する図３に示した軸Ａ）を軸として、図１２に示すように定着ユニット５２を前側（矢印Ｃの方向）に回動させる。ここで、作業者は、定着ユニット側コネクタ１１６が枠体側コネクタ１２０から外れるまで定着ユニット５２を移動させればよく、例えば定着ユニット５２を約５度移動させる。
【００４５】
ステップ１０４（Ｓ１０４）において、作業者は、例えば第１のボス９８と第１のボス受け７８とが係合する部分の下側の外側端部（左側に位置する図３に示した軸Ｂ）を軸として、図１３に示すように定着ユニット５２を上側（矢印Ｄの方向）に回動させる。ここで、作業者は、定着ユニット５２の右側下部が第２の側部７０よりも上方に位置するように定着ユニット５２を移動させればよく、例えば定着ユニット５２を約９度移動させる。
【００４６】
ステップ１０６（Ｓ１０６）において、作業者は、定着ユニット５２を右側上方（図１４に示した矢印Ｅの方向：右側）に引き抜くことにより、係合部９６と被係合部７６との係合を解除する。
【００４７】
図１５は、枠体１３に定着ユニット５２を装着する方法（Ｓ２０）を示すフローチャートである。
図１５に示すように、ステップ２００（Ｓ２００）において、作業者は、定着ユニット５２の左側が下がるように定着ユニット５２を傾けて、定着ユニット５２の下部が枠体１３に当接しない方向（例えば図１４に示した矢印Ｅの逆方向）に定着ユニット５２を移動させ、左側に位置する係合部９６が被係合部７６に当接（係合）するように係合部９６を被係合部７６に挿入する。
ここで、第２のボス１００を第２のボス受け８０に挿入させて定着ユニット５２がＹ方向に移動することを規制した後に第１のボス９８を第１のボス受け７８に挿入してもよいし、第１のボス９８を第２のボス１００よりも先に挿入してもよいし、第１のボス９８と第２のボス１００とを同時に挿入するようにしてもよい。
【００４８】
ステップ２０２（Ｓ２０２）において、作業者は、例えば第１のボス９８と第１のボス受け７８とが係合する部分の下側の外側端部（左側に位置する図３に示した軸Ｂ）を軸として、図１３に示した矢印Ｄの逆方向に向けて定着ユニット５２を下側に回動させる。
【００４９】
ステップ２０４（Ｓ２０４）において、作業者は、例えば第１のボス９８と第１のボス受け７８とが係合する部分の前側の内側端部（左側に位置する図３に示した軸Ａ）を軸として、図１２に示した矢印Ｃの逆方向に向けて定着ユニット５２を後側に回動させる。ここで、第５のボス１１８が第５のボス受け９２に係合し、被移動規制部１０２が移動規制部８２に係合することにより、定着ユニット５２は、枠体１３に対して位置決めされるとともに固定され、定着ユニット側コネクタ１１６は、枠体側コネクタ１２０に接続される。
【００５０】
なお、Ｓ２０４において、ラッチ１０８は、定着ユニット５２が後側に回動されることにより、掛部１１２がラッチ受け穴８８の内側上面に摺接して挿入され、図示しない弾性部材によって上方に付勢される。つまり、作業者が把持部１１４を引き下げなくても、ラッチ１０８は、ラッチ受け穴８８に係合して移動を規制される。
また、Ｓ２０４における定着ユニット５２の回動が不十分であっても、プロセスカートリッジ３２及び定着ユニット５２などを着脱する場合に作業者が画像形成装置本体１２の正面側から開閉する開閉カバー（図示せず）を閉めることにより、開閉カバーが定着ユニット５２を押し込んで、定着ユニット５２が枠体１３に対して位置決めされるようにしてもよい。
【図面の簡単な説明】
【００５１】
【図１】本発明の実施形態に係る機器装置である画像形成装置の概要を示す断面図である。
【図２】枠体を正面側（前側）から見た第１の斜視図である。
【図３】図２に示した被係合部周辺の拡大斜視図である。
【図４】枠体を正面側（前側）から見た第２の斜視図である。
【図５】定着ユニットを左側下方から見た斜視図である。
【図６】定着ユニットの被移動規制部周辺を右側下方から見た拡大斜視図である。
【図７】枠体に定着ユニットが装着された状態を示す左側から見た側面図である。
【図８】枠体に定着ユニットが装着された状態を示す正面図である。
【図９】枠体に定着ユニットが装着された状態を示す背面図（後側から見た図）である。
【図１０】枠体に定着ユニットが装着された状態を示す右側から見た側面図である。
【図１１】枠体から定着ユニットを離脱する方法（Ｓ１０）を示すフローチャートである。
【図１２】定着ユニットを前側に回動させた状態を示す上面図（上側から見た図）である。
【図１３】定着ユニットを上側に回動させた状態を示す正面図である。
【図１４】定着ユニットを前側及び上側に回動させた状態を示す斜視図である。
【図１５】枠体に定着ユニットを装着する方法（Ｓ２０）を示すフローチャートである。
【符号の説明】
【００５２】
１０    画像形成装置
１２    画像形成装置本体
１３    枠体
１４    画像形成部
５２    定着ユニット
６８    第１の側部
７０    第２の側部
７２    上板部
７３    被取付部
７４    ギア用穴部
７６    被係合部
７８    第１のボス受け
８０    第２のボス受け
８２    移動規制部
８４    第３のボス受け
８６    第４のボス受け
８８    ラッチ受け穴
９０ａ，９０ｂ    ねじ穴
９２    第５のボス受け
９４    筐体
９６    係合部
９８    第１のボス
１００    第２のボス１
１０２    被移動規制部
１０４    第３のボス
１０６    第４のボス
１０８    ラッチ
１１０    軸部
１１２    掛部
１１４    把持部
１１６    定着ユニット側コネクタ
１１８    第５のボス
１２０    枠体側コネクタ
１２２    駆動ギア
【図１】
2008116711.tif 000003
【図２】
2008116711.tif 000004
【図３】
2008116711.tif 000005
【図４】
2008116711.tif 000006
【図５】
2008116711.tif 000007
【図６】
2008116711.tif 000008
【図７】
2008116711.tif 000009
【図８】
2008116711.tif 000010
【図９】
2008116711.tif 000011
【図１０】
2008116711.tif 000012
【図１１】
2008116711.tif 000013
【図１２】
2008116711.tif 000014
【図１３】
2008116711.tif 000015
【図１４】
2008116711.tif 000016
【図１５】
2008116711.tif 000017